(57)【要約】【課題】  コネクタハウジングへの接続用端子の半挿入状態を確実に検知し、接続用端子が半挿入状態のコネクタハウジングを積層して合体するのを防止するコネクタを提供する。【解決手段】  接続用端子１８を収容する複数のコネクタハウジング１２の両側部１２ａにおける一方側と他方側に設けられ、コネクタハウジングを積層して合体するコネクタハウジングロック手段１５，１７と、一方のコネクタハウジングに突設され、これが積層される他方のコネクタハウジングに収容された接続用端子１８に係合することにより接続用端子の半挿入状態を検知する係止突起３０を備え、コネクタハウジング一方側の両コネクタハウジングロック手段１５の係合力が、他方側の両コネクタハウジングロック手段１７の係合力よりも小さくなるように設定されている。【選択図】  図３
2006294580.tif 000002
【特許請求の範囲】
【請求項１】
接続用端子を収容する複数のコネクタハウジングの両側部における一方側と他方側に設けられ、コネクタハウジングを積層して合体するコネクタハウジングロック手段と、一方のコネクタハウジングに突設され、そのコネクタハウジングが積層される他方のコネクタハウジングに収容された接続用端子に係合することにより、接続用端子の半挿入状態を検知する係止突起とを備えたコネクタにおいて、前記コネクタハウジングの一方側に設けられた両コネクタハウジングロック手段の係合力が他方側に設けられた両コネクタハウジングロック手段の係合力よりも小さくなるように設定されていることを特徴とするコネクタ。
【請求項２】
接続用端子を収容する複数のコネクタハウジングの両側部における前後方側に設けられ、コネクタハウジングを積層して合体するコネクタハウジングロック手段と、一方のコネクタハウジングに突設され、そのコネクタハウジングが積層される他方のコネクタハウジングに収容された接続用端子に係合することにより、接続用端子の半挿入状態を検知する係止突起とを備えたコネクタにおいて、前記コネクタハウジングの前方側に設けられた両コネクタハウジングロック手段の係合力が後方側に設けられた両コネクタハウジングロック手段の係合力よりも小さくなるように設定されていることを特徴とするコネクタ。
【請求項３】
前方側に設けられた両コネクタハウジングロック手段の係合凸部における鉤部の係合面が、凸弧面状又は係合凸部の長手方向軸線に対して鈍角度の傾斜面状に形成され、後方側に設けられた両コネクタハウジングロック手段の係合凸部における鉤部の係合面が、係合凸部の長手方向軸線に対してほぼ垂直な面状に形成されていることを特徴とする、請求項２に記載のコネクタ。
【請求項４】
前方側に設けられた両コネクタハウジングロック手段の係合凸部における鉤部の係合高さが、後方側に設けられた両コネクタハウジングロック手段の係合凸部における鉤部の係合高さよりも低くなるように構成されていることを特徴とする、請求項２又は請求項３に記載のコネクタ。
【請求項５】
前記コネクタハウジングの前方側に設けられた両コネクタハウジングロック手段の係合力は、接続用端子が半挿入状態の場合には該前方側に設けられた両コネクタハウジングロック手段における係合が外れるとともに、接続用端子が適正に挿入された状態の場合には該前方側に設けられた両コネクタハウジングロック手段における係合が保持される程度に規定されていることを特徴とする、請求項２乃至請求項４の何れかに記載のコネクタ。
【請求項６】
前記請求項１乃至請求項５に記載されたコネクタの複数のコネクタハウジング内に前記接続用端子が収容されるとともに、前記コネクタがホルダに収容されてなるコネクタ保持構造。
【発明の詳細な説明】
【技術分野】
【０００１】
本発明は自動車等の内部における各種電装部品間の接続等に用いられるワイヤーハーネスの分岐接続に好適なコネクタ及びコネクタ保持構造に関する。
【背景技術】
【０００２】
この種のコネクタ１０は、例えば、図４２（Ａ），（Ｂ）、図４３、図４４、及び図４５に示すように、ワイヤーハーネス等を構成する電線（図示せず）に圧着等により接続された接続用端子１８を収容する複数の端子収容室１６が併設され、プラスチック製の複数のコネクタハウジング１２と、コネクタハウジング１２の両側部における前後方側に設けられ、係合凹部３２と先端に鉤部（フック）３７を有する係合凸部３４との係合により、コネクタハウジング１２を積層して合体するコネクタハウジングロック手段１４（図４４参照）と、コネクタハウジング１２の下部に突設され、そのコネクタハウジング１２が積層される他方（下段）のコネクタハウジング１２の端子収容室１６に収容された接続用端子１８の係合凹部１８ｂに係合することにより、接続用端子１８の抜け防止と半挿入状態を検知する係止突起３０（図４３参照）を備える。なお、前記係合凸部３４における鉤部３７の係合面３７ａは、係合凸部３４の長手方向軸線に対してほぼ垂直な面状に形成されている。
【０００３】
ここで各コネクタハウジングロック手段１４の係合凹部３２と係合凸部３４の形状は、前後左右いずれの部位のコネクタハウジングロック手段１４でも同じ係合力でコネクタハウジング同士を係合保持するように、どの部位でもそれぞれ略同一形状に規定されている。
【０００４】
コネクタ１０を組み立てる場合には、例えば、各コネクタハウジング１２の端子収容室１６に、電線に接続された接続用端子１８を挿入して収容する。
【０００５】
次に、接続用端子１８が収容された最下段のコネクタハウジング１２の上に、接続用端子１８が収容された下から２段目のコネクタハウジング１２を重ね合わせる。
【０００６】
次に、最下段のコネクタハウジング１２に２段目のコネクタハウジング１２を押し付けて、最下段のコネクタハウジング１２の前後方側に設けられた両コネクタハウジングロック手段１４の係合凹部３２と、２段目（上段）のコネクタハウジング１２の前後方側に設けられた両コネクタハウジングロック手段１４の係合凸部３４の鉤部３７とを係合させると共に、２段目のコネクタハウジング１２に突設された係止突起３０を、最下段のコネクタハウジング１２の端子収容室１６に収容された接続用端子１８の係合凹部１８ｂに挿入して係合させ、最下段のコネクタハウジング１２に収容された接続用端子１８の抜け防止と半挿入状態を検知しながら、最下段のコネクタハウジング１２に２段目のコネクタハウジング１２を積層して合体する。
【０００７】
次に、２段目のコネクタハウジング１２の上に接続用端子１８が収容された下から３段目のコネクタハウジング１２を重ね合わせ、同様にして前後方側に設けられた両コネクタハウジングロック手段１４の係合凹部３２と係合凸部３４の鉤部３７とを係合させると共に、３段目のコネクタハウジング１２の係止突起３０を２段目のコネクタハウジング１２に収容された接続用端子１８の係合凹部１８ｂに係合させ、２段目のコネクタハウジング１２に３段目のコネクタハウジング１２を積層して合体する。以下同様な操作を繰り返して、コネクタハウジング１２を、図４５に示すように、例えば、上下１０段に順次積層して合体することにより行う（特許文献１参照）。
【０００８】
なお、コネクタ１０を組み立てる場合に、上記したような接続用端子１８が収容されたコネクタハウジング１２を重ね合わせて順次積層するのではなく、コネクタハウジング１２を１層積層する毎に、上段に積層されたコネクタハウジング１２の端子収容室１６に接続用端子１８を挿入して収容し、このような操作を繰り返して、コネクタハウジング１２を順次積層して合体することにより行うようにしても良い。
【０００９】
【特許文献１】特開２００５−２５９９７号公報
【発明の開示】
【発明が解決しようとする課題】
【００１０】
従来のコネクタ１０によると、コネクタハウジング１２同士を重ね合わせて積層する際、一方のコネクタハウジング１２の端子収容室１６に、接続用端子１８が奥まで正しく挿入されず、半挿入状態で収容されたような場合、その接続用端子１８の係合凹部１８ｂに、そのコネクタハウジング１２に積層される他方（上段）のコネクタハウジング１２に突設された係止突起３０が挿入されず、係合しなくなる。そうすると、係止突起３０が係合凹部１８ｂの外縁に突き当たり、他方のコネクタハウジング１２が浮き上がって、両コネクタハウジング１２間に隙間が生じる。その結果、前後方側の両コネクタハウジングロック手段１４の係合凹部３２と係合凸部３４を係合することが困難になるので、端子収容室１６に接続用端子１８が半挿入状態で収容されていることを検知することができる。そして、端子収容室１６に接続用端子１８が半挿入状態で収容されたコネクタハウジング１２を積層して合体する事態を防止することができるようになっている。
【００１１】
しかしながら、一方のコネクタハウジング１２の端子収容室１６に接続用端子１８が半挿入状態で収容されている場合、そのコネクタハウジング１２に他方のコネクタハウジング１２を重ね合わせて積層する際、他方のコネクタハウジング１２を、一方のコネクタハウジング１２に押し付けると、他方のコネクタハウジング１２の係止突起３０が、一方のコネクタハウジング１２の端子収容室１６に半挿入状態で収容された接続用端子１８の係合凹部１８ｂに係合することなく、係合凹部１８ｂ外縁に突き当たり、半挿入状態で収容された接続用端子１８近傍の両コネクタハウジング１２間に隙間が生じるが、他方のコネクタハウジング１２がこれに作用する押し付け力でたわみ（反り）、両コネクタハウジング１２の両側部が接近又は接触することがある。
【００１２】
そうすると、コネクタハウジング１２の両側部の前後方側に設けられたコネクタハウジングロック手段１４の係合凹部３２と係合凸部３４を係合することが可能になるため、一方のコネクタハウジングの端子収容室に接続用端子が半挿入状態で収容されていることを係止突起３０で検知することができなくなる。
【００１３】
その結果、端子収容室１６に接続用端子１８が半挿入状態で収容された一方のコネクタハウジング１２に他方のコネクタハウジング１２を積層して合体することになり、最終的に形成されたコネクタ１０が電気的接続不良を引き起こし、その品質及び信頼性を低下させる恐れがある。
【００１４】
本発明は上記課題を解決し、コネクタハウジングに接続用端子が半挿入状態で収容されているのを確実に検知し、接続用端子が半挿入状態のコネクタハウジングを積層して合体するのを防止するコネクタを提供することを目的とするものである。
【課題を解決するための手段】
【００１５】
上記目的を達成するために、本発明の請求項１に記載された発明は、接続用端子を収容する複数のコネクタハウジングの両側部における一方側と他方側に設けられ、コネクタハウジングを積層して合体するコネクタハウジングロック手段と、一方のコネクタハウジングに突設され、そのコネクタハウジングが積層される他方のコネクタハウジングに収容された接続用端子に係合することにより、接続用端子の半挿入状態を検知する係止突起とを備えたコネクタにおいて、前記コネクタハウジングの一方側に設けられた両コネクタハウジングロック手段の係合力が他方側に設けられた両コネクタハウジングロック手段の係合力よりも小さくなるように設定されていることを特徴としている。
【００１６】
また、本発明の請求項２に記載された発明は、接続用端子を収容する複数のコネクタハウジングの両側部における前後方側に設けられ、コネクタハウジングを積層して合体するコネクタハウジングロック手段と、一方のコネクタハウジングに突設され、そのコネクタハウジングが積層される他方のコネクタハウジングに収容された接続用端子に係合することにより、接続用端子の半挿入状態を検知する係止突起とを備えたコネクタにおいて、前記コネクタハウジングの前方側に設けられた両コネクタハウジングロック手段の係合力が、後方側に設けられた両コネクタハウジングロック手段の係合力よりも小さくなるように設定されていることを特徴としている。
【００１７】
また、本発明の請求項３に記載された発明は、請求項２に記載のコネクタにおいて、前方側に設けられた両コネクタハウジングロック手段の係合凸部における鉤部の係合面が、凸弧面状又は係合凸部の長手方向軸線に対して鈍角度の傾斜面状に形成され、後方側に設けられた両コネクタハウジングロック手段の係合凸部における鉤部の係合面が、係合凸部の長手方向軸線に対してほぼ垂直な面状に形成されていることを特徴としている。
【００１８】
また、本発明の請求項４に記載された発明は、請求項２又は請求項３に記載のコネクタにおいて、前方側に設けられた両コネクタハウジングロック手段の係合凸部における鉤部の係合高さが、後方側に設けられた両コネクタハウジングロック手段の係合凸部における鉤部の係合高さよりも低くなるように構成されていることを特徴としている。
【００１９】
また、本発明の請求項５に記載された発明は、請求項２乃至請求項４の何れかに記載のコネクタにおいて、
前記コネクタハウジングの前方側に設けられた両コネクタハウジングロック手段の係合力は、接続用端子が半挿入状態の場合には該前方側に設けられた両コネクタハウジングロック手段における係合が外れるとともに、接続用端子が適正に挿入された状態の場合には該前方側に設けられた両コネクタハウジングロック手段における係合が保持される程度に規定されていることを特徴としている。
【００２０】
また、本発明の請求項６に記載された発明は、前記請求項１乃至請求項５のいずれかに記載されたコネクタの複数のコネクタハウジング内に前記接続用端子が収容されるとともに、前記コネクタがホルダに収容されてなるコネクタ保持構造であることを特徴としている。
【発明の効果】
【００２１】
本発明の請求項１に記載のコネクタによると、前記コネクタハウジングの一方側に設けられた両コネクタハウジングロック手段の係合力が、他方側に設けられた両コネクタハウジングロック手段の係合力よりも小さくなるように設定されている。
【００２２】
そこで、一方のコネクタハウジングに接続用端子が半挿入状態で収容されている場合、そのコネクタハウジングに積層される他方のコネクタハウジングの係止突起が、一方のコネクタハウジングに半挿入状態で収容された接続用端子に係合せず、半挿入状態で収容された接続用端子近傍の両コネクタハウジング間に隙間が生じる反面、他方のコネクタハウジングが押し付け力で撓み、両コネクタハウジングの両側部が接近又は接触することにより、コネクタハウジングの両側部の一方側と他方側に設けられたコネクタハウジングロック手段の係合凹部と係合凸部を係合させることが可能になる。
【００２３】
ところが、これらコネクタハウジングロック手段の係合凹部と係合凸部には、他方のコネクタハウジングを撓ませる押し付け力に相当する反力が作用するので、他方側の両コネクタハウジングロック手段における係合凹部と係合凸部の係合力はコネクタハウジングを積層して合体するために必要な係合力を有し、他方側の両コネクタハウジングロック手段における係合凹部と係合凸部の係合状態が維持されるのに対し、他方側の両コネクタハウジングロック手段よりも係合力が小さく設定されている一方側の両コネクタハウジングロック手段における係合凹部と係合凸部の係合が前記押し付け力の反力作用で外れ、コネクタハウジングを積層して合体することができなくなる。
【００２４】
これにより、コネクタハウジングに接続用端子が半挿入状態で収容されている場合、一方側の両コネクタハウジングロック手段が接続用端子の半挿入状態を検知する役割をする。コネクタハウジングに接続用端子が奥まで正しく挿入されて正常に収容されている場合には、コネクタハウジングの押し付け力による反力が小さいので、一方側の両コネクタハウジングロック手段における係合凹部と係合凸部の係合が外れず、コネクタハウジングを積層して合体することができる。
【００２５】
よって、コネクタハウジングに接続用端子が半挿入状態で収容されている場合、それを確実に検知し、接続用端子が半挿入状態で収容されたコネクタハウジングを積層して合体するのを防止し、形成されたコネクタが電気的接続不良を引き起こすことがなく、その品質及び信頼性を向上させることができる。
【００２６】
また、コネクタが固定された電線が、コネクタの近傍でコネクタハウジング同士の積層状態を解除する方向に引っ張られた場合、仮に他方側の両コネクタハウジングロック手段の係合力が一方側の両コネクタハウジングロック手段の係合力よりも小さく設定されていると、他方側の両コネクタハウジングロック手段における係合が容易に外れてしまい、コネクタハウジング同士の積層状態を保持できなくなる懸念がある。これに対し、本究明では、他方側の両コネクタハウジングロック手段の係合力が一方側の両コネクタハウジングロック手段の係合力よりも大きく設定されているため、他方側の両コネクタハウジングロック手段における係合が容易に外れないので、コネクタハウジング同士の積層状態を保持することができる。
【００２７】
なお、一方側の両コネクタハウジングロック手段の係合力は限りなく小さくすることが可能であるが、一方側の両コネクタハウジングロック手段そのものを無くしてしまうことは好ましくない。なぜならば、一方側の両コネクタハウジングロック手段そのものを無くしてしまうと、コネクタ組み立て作業者は一方側の両コネクタハウジングロック手段を係合しようという動機付けがなくなるため、コネクタハウジング間の隙間量の大きさのみで接続用端子の半挿入検知を行う恐れがあり、該半挿入検知の確実性が低くなる。これに対し本発明の場合、すなわち一方側の両コネクタハウジングロック手段が存在している場合は、コネクタ組み立て作業者は一方側の両コネクタハウジングロック手段を係合しようと試みるため、コネクタハウジング間の隙間量だけでなく、一方の両コネクタハウジングロック手段の係合が外れてしまうという現象からも接続用端子の半挿入検知を行うことができ、該半挿入検知の確実性が増す。
【００２８】
また、本発明の請求項２に記載のコネクタによると、前記コネクタハウジングの前方側に設けられた両コネクタハウジングロック手段の係合力が、後方側に設けられた両コネクタハウジングロック手段の係合力よりも小さくなるように設定されている。
【００２９】
そこで、一方のコネクタハウジングに接続用端子が半挿入状態で収容されている場合、そのコネクタハウジングに積層される他方のコネクタハウジングの係止突起が、一方のコネクタハウジングに半挿入状態で収容された接続用端子に係合せず、半挿入状態で収容された接続用端子近傍の両コネクタハウジング間に隙間が生じる反面、他方のコネクタハウジングが押し付け力で撓み、両コネクタハウジングの両側部が接近又は接触することにより、コネクタハウジングの両側部の前後方側に設けられたコネクタハウジングロック手段の係合凹部と係合凸部を係合させることが可能になる。
【００３０】
ところが、これらコネクタハウジングロック手段の係合凹部と係合凸部には、他方のコネクタハウジングを撓ませる押し付け力に相当する反力が作用するので、後方側の両コネクタハウジングロック手段における係合凹部と係合凸部の係合力はコネクタハウジングを積層して合体するために必要な係合力を有し、後方側の両コネクタハウジングロック手段における係合凹部と係合凸部の係合状態が維持されるのに対し、後方側の両コネクタハウジングロック手段よりも係合力が小さく設定されている前方側の両コネクタハウジングロック手段における係合凹部と係合凸部の係合が前記押し付け力の反力作用で外れ、コネクタハウジングを積層して合体することができなくなる。
【００３１】
これにより、コネクタハウジングに接続用端子が半挿入状態で収容されている場合、前方側の両コネクタハウジングロック手段が接続用端子の半挿入状態を検知する役割をする。コネクタハウジングに接続用端子が奥まで正しく挿入されて正常に収容されている場合には、コネクタハウジングの押し付け力による反力が小さいので、前方側の両コネクタハウジングロック手段における係合凹部と係合凸部の係合が外れず、コネクタハウジングを積層して合体することができる。
【００３２】
よって、コネクタハウジングに接続用端子が半挿入状態で収容されている場合、それを確実に検知し、接続用端子が半挿入状態で収容されたコネクタハウジングを積層して合体するのを防止し、形成されたコネクタが電気的接続不良を引き起こすことがなく、その品質及び信頼性を向上させることができる。
【００３３】
また、コネクタが固定された電線が、コネクタの近傍でコネクタハウジング同士の積層状態を解除する方向に引っ張られた場合、仮に後方側の両コネクタハウジングロック手段の係合力が前方側の両コネクタハウジングロック手段の係合力よりも小さく設定されていると、後方側の両コネクタハウジングロック手段における係合が容易に外れてしまい、コネクタハウジング同士の積層状態を保持できなくなる懸念がある。これに対し、本究明では、後方側の両コネクタハウジングロック手段の係合力が前方側の両コネクタハウジングロック手段の係合力よりも大きく設定されているため、後方側の両コネクタハウジングロック手段における係合が容易に外れないので、コネクタハウジング同士の積層状態を保持することができる。
【００３４】
なお、前方側の両コネクタハウジングロック手段の係合力は限りなく小さくすることが可能であるが、前方側の両コネクタハウジングロック手段そのものを無くしてしまうことは好ましくない。なぜならば、前方側の両コネクタハウジングロック手段そのものを無くしてしまうと、コネクタ組み立て作業者は前方側の両コネクタハウジングロック手段を係合しようという動機付けがなくなるため、コネクタハウジング間の隙間量の大きさのみで接続用端子の半挿入検知を行う恐れがあり、該半挿入検知の確実性が低くなる。これに対し本発明の場合、すなわち前方側の両コネクタハウジングロック手段が存在している場合は、コネクタ組み立て作業者は前方側の両コネクタハウジングロック手段を係合しようと試みるため、コネクタハウジング間の隙間量だけでなく、前方の両コネクタハウジングロック手段の係合が外れてしまうという現象からも接続用端子の半挿入検知を行うことができ、該半挿入検知の確実性が増す。
【００３５】
また、本発明の請求項３に記載のコネクタによると、後方側の両コネクタハウジングロック手段は、これまで使用されているものと構成が同じで新たに設計する手間が省けるほか、前方側の両コネクタハウジングロック手段における係合凸部の形状が簡単になる。従って、コネクタハウジングロック手段の形成が容易になり、コネクタのコストを低減させることができるので好ましい。
【００３６】
また、本発明の請求項４に記載のコネクタによると、前方側の両コネクタハウジングロック手段の係合力を後方側の両コネクタハウジングロック手段の係合力よりも小さく設定することが容易になるので好ましい。
【００３７】
また、本発明の請求項５に記載のコネクタによると、前記コネクタハウジングの前方側に設けられた両コネクタハウジングロック手段の係合力は、接続用端子が半挿入状態の場合には該前方側に設けられた両コネクタハウジングロック手段における係合が外れるとともに、接続用端子が適正に挿入された状態の場合には該前方側に設けられた両コネクタハウジングロック手段における係合が保持される程度に規定されているので、接続用端子が半挿入状態の場合を両コネクタハウジングロック手段が外れることで外部から容易に確認することができる。
【００３８】
また、本発明の請求項６記載のコネクタによると、前記請求項１乃至請求項５に記載されたコネクタの複数のコネクタハウジング内に前記接続用端子が収容されるとともに、前記コネクタがホルダに収容されてなるコネクタ保持構造であるので、接続用端子が半挿入状態となったコネクタをホルダ内に収容するのを確実に防止できる。これに加えて、このようなコネクタをホルダに挿入することでコネクタの積層状態をより確実に維持できる。
【発明を実施するための最良の形態】
【００３９】
次に、本発明の実施形態を図面により詳細に説明する。なお、背景技術に記載したコネクタ１０と同一構成、機能を有するものには同一符号が付してある。先ず本発明の第１の好ましい形態にかかるコネクタ１１を図１乃至図６に基づいて説明する。
【００４０】
このコネクタ１１は、複数（図示例は１０個）のプラスチック製のコネクタハウジング１２と、これらコネクタハウジング１２を上下方向に複数段（図示例は１０段）に積層して合体するプラスチック製のコネクタハウジングロック手段１５，１７と、コネクタハウジング１２に突設され、そのコネクタハウジング１２が積層される他方（下段）のコネクタハウジング１２の端子収容室１６に収容された接続用端子１８に係合することにより、接続用端子１８の抜け防止と半挿入状態を検知する係止突起３０とを備えている。
【００４１】
コネクタハウジング１２は、ワイヤーハーネス等を構成する電線に圧着等により接続された複数（図示例では１０個）のメス状の接続用端子１８を収容する複数（図示例では１０室）の端子収容室１６が横方向に単層に併設される。また、コネクタハウジング１２は、端子収容室１６の後方側が上方に開口されており、図４に示すように、端子収容室１６の前方側における一方の壁、即ち、上壁１６ａには、例えば、端子収容室１６の長手方向に形成された一対のスリット２０（図３（Ａ）参照）により、基先端が前記上壁１６ａに支持される両持ち構造で、背中側に厚肉となる肉盛り部２４（図３乃至図５等参照）と、内側に接続用端子１８の先端側上部に突設されたタブ状の係止受部１８ａ（図４参照）に係合される係止爪２６が形成されたプラスチック製の弾性係止片からなるランス２２が設けられる。
【００４２】
前記ランス２２の位置に対応する端子収容室１６の反対側の他方の壁、即ち、下壁１６ｂには、図３（Ｂ）及び図４に示すように、隣接する下段のコネクタハウジング１２の端子収容室１６に接続用端子１８が挿入された場合（図４参照）、接続用端子１８の係止受部１８ａに係止爪２６が当接し、上方に少し持ち上げられるランス２２の肉盛り部２４を受け入れて、ランス２２が外側に変位するのを許容するスリット状の細穴からなるランス受入部２８が設けられる。接続用端子１８の係止受部１８ａがランス２２の係止爪２６に係合することにより、ランス２２の肉盛り部２４が下がり、接続用端子１８がランス２２に係合し、端子収容室１６から抜けないように固定される。
【００４３】
コネクタハウジング１２における端子収容室１６のランス２２よりも後方に位置する下壁１６ｂの下部（下面）には、図２及び図３（Ｂ）に示すように、例えば角型の係止突起３０が突設され、これが該コネクタハウジング１２と積層される下段のコネクタハウジング１２の端子収容室１６に収容された接続用端子１８の係合凹部１８ｂ（図４参照）に挿入されて係合することにより、接続用端子１８の端子収容室１６からの抜け防止（ランス２２による抜け防止と合せて二重係止機能を有する）と半挿入状態を検知することができるようになっている。係合凹部１８ｂは図３（Ａ）に図示された端子収容室１６の後方側（接続用端子１８の挿入開始側）の上方開口部を利用しているが、係止突起３０の挿入を受け入れることができる程度の大きさを有し、かつ、係止突起３０の形状に見合う形状の凹部とし、端子収容室１６の後方側の上方開口部を無くすようにしても良い。このようにすると、端子収容室１６の後方側から端子収容室１６内に塵埃等が侵入するのを抑制できるので好ましい。なお、３１は端子収容室１６の前壁１６ｃに設けられた相手方コネクタ等（図示せず）の接続バー（オス端子）が挿入される接続バー挿入穴である。
【００４４】
前記コネクタハウジング１２の前方側（接続用端子１８が挿入される方向の挿入終了側）に設けられた両コネクタハウジングロック手段１５は、図１（Ｂ）、図３（Ａ），（Ｂ）、及び図５に示すように、コネクタハウジング１２の両側部１２ａにおける前方側にそれぞれ設けられ、例えば、上部に設けられた係合凹部３２と、これに対応する例えば下部に設けられた係合凸部３３とからなる。そして、一方（下段）のコネクタハウジング１２に設けられた係合凹部３２と、そのコネクタハウジング１２に積層される他方（上段）のコネクタハウジング１２に設けられた係合凸部３３との係合により、両コネクタハウジング１２を積層して合体することができるようになっている。
【００４５】
前記コネクタハウジングの後方側（接続用端子１８が挿入される方向の挿入開始側）に設けられた両コネクタハウジングロック手段１７は、図１（Ｂ）、図３（Ａ），（Ｂ）及び図６に示すように、コネクタハウジング１２の両側部１２ａにおける後方側にそれぞれ設けられ、例えば上部に設けられた係合凹部３２と、これに対応する、例えば下部に設けられた係合凸部３４とからなる。そして、一方（下段）のコネクタハウジング１２に設けられた係合凹部３２と、そのコネクタハウジング１２に積層される他方（上段）のコネクタハウジング１２に設けられた係合凸部３４との係合により、両コネクタハウジング１２を積層して合体することができるようになっている。
【００４６】
更に詳細に説明すると、コネクタハウジングロック手段１５における係合凹部３２は、図５に示すように、例えば横方向に開口するコ字状の凹溝からなり、係合凸部３３は、両側部１２ａより下方へ突出する直線状係止片の先端に係合凹部３２に係合する内向きの鉤部（フック）３５を有する。コネクタハウジングロック手段１７における係合凹部３２は、図６に示すように、横方向に開口するコ字状の凹溝からなり、係合凸部３４は、両側部１２ａより下方へ突出する直線状係止片の先端に係合凹部３２に係合する内向きの鉤部３７を有する。
【００４７】
また、前方側に設けられた両コネクタハウジングロック手段１５の係合凹部３２と係合凸部３３の係合力が、後方側に設けられた両コネクタハウジングロック手段１７の係合凹部３２と係合凸部３４の係合力よりも小さくなるように設定されている。即ち、図７に示すように、両コネクタハウジングロック手段１５の係合凸部３３における鉤部３５は、その係合凹部３２に押当する係合面３５ａが凸弧面状に、かつ鉤部３５の係合高さＨが両コネクタハウジングロック手段１７の係合凸部３４における鉤部３７の係合高さｈよりも低くなるように形成され、両コネクタハウジングロック手段１７の係合力よりも小さくなるように設定されている。
【００４８】
一方、後方側に設けられた両コネクタハウジングロック手段１７の係合凸部３４における鉤部３７は、その係合面３７ａが、図８に示すように、係合凸部３４の長手方向軸線Ｐに対してほぼ垂直な面状に、かつ鉤部３７の係合高さｈが係合凹部３２のコ字状の凹溝にしっかり係合する高さに形成され、係合凹部３２と係合凸部３４の係合力がコネクタハウジング３２を積層して合体した状態を確実に保持するために必要な大きさに設定されている。
【００４９】
なお、前方側の両コネクタハウジングロック手段１５の係合凸部３３における鉤部３５は、係合凹部３２に押当する係合面が、凸弧面状の係合面３５ａに代えて、図９（Ａ）に示すように、係合凸部３３の長手方向軸線Ｐに対して鈍角度θの略Ｖ状突起の傾斜面状の係合面３５ｂに形成されるか、又は、図９（Ｂ）に示すように、係合凸部３３の長手方向軸線Ｐに対して鈍角度θの滑り台型の傾斜面状の係合面３５ｃ等に形成されるようにしても良い。また、両コネクタハウジングロック手段１５における係合凹部３２の形状は、コ字状の凹溝の代わりに、係合凸部３３の鉤部３５の係合面が凸弧面状の係合面３５ａの場合には、これに見合う凹弧面状凹溝に、鉤部３５の係合面が略Ｖ状突起の傾斜面状の係合面３５ｂの場合には、これに見合う略Ｖ状凹溝に、又は、鉤部３５の係合面が滑り台型の傾斜面状の係合面３５ｃの場合には、これに見合う三角状凹溝に形成されていても良い。係合凹部３２の形状が、上記鉤部３５のこれら係合面３５ａ，３５ｂ，３５ｃ等に見合う凹溝に形成されていると、両コネクタハウジングロック手段１５における係合凹部３２と係合凸部３３の係合力を所望の大きさに設定することが容易になるので好ましい。
【００５０】
また、前記コネクタハウジング１２の両側部１２aにおける前後方側に設けられたコネクタハウジングロック手段１７間の例えば上部には、図１（Ｂ）及び図３に示すように、積層されたコネクタハウジング１２同士の相対移動を拘束する矩形状の案内凹溝３６が設けられ、これに対応する例えば両側部１２aの下部には、案内凹溝３６に嵌合する矩形板状の案内リブ３８が下方に突出して設けられ、一方のコネクタハウジング１２の案内凹溝３６に、積層される他方（上段）のコネクタハウジング１２の案内リブ３８が挿脱自在に嵌着されている。
【００５１】
本発明のコネクタ１１は上記のような構成になっている。このコネクタ１１を組み立てる場合には、例えば、各コネクタハウジング１２の端子収容室１６に、電線Ｗ（図２参照）に接続された接続用端子１８を挿入して収容する。
【００５２】
次に、接続用端子１８が収容された最下段のコネクタハウジング１２の上に、接続用端子１８が収容された下から２段目のコネクタハウジング１２を重ね合わせ、その案内リブ３８を最下段のコネクタハウジング１２の案内凹溝３６に挿着して位置決めする。
【００５３】
次に、最下段のコネクタハウジング１２に２段目のコネクタハウジング１２を押し付けて、最下段のコネクタハウジング１２の前後方側に設けられた両コネクタハウジングロック手段１５，１７の係合凹部３２と、２段目（上段）のコネクタハウジング１２の前後方側に設けられた両コネクタハウジングロック手段１５，１７の係合凸部３３，３４の鉤部３５，３７とを係合させると共に、２段目のコネクタハウジング１２に突設された係止突起３０を、最下段のコネクタハウジング１２の端子収容室１６に収容された接続用端子１８の係合凹部１８ｂに挿入して係合させ、最下段のコネクタハウジング１２に収容された接続用端子１８の抜け防止と半挿入状態を検知しながら、最下段のコネクタハウジング１２に２段目のコネクタハウジング１２を積層して合体する。
【００５４】
次に、２段目のコネクタハウジング１２の上に接続用端子１８が収容された下から３段目のコネクタハウジング１２を重ね合わせて位置決めし、同様にして前後方側に設けられた両コネクタハウジングロック手段１５，１７の係合凹部３２と係合凸部３３，３４の鉤部３７とを係合させると共に、３段目のコネクタハウジング１２の係止突起３０を２段目のコネクタハウジング１２に収容された接続用端子１８の係合凹部１８ｂに係合させ、２段目のコネクタハウジング１２に３段目のコネクタハウジング１２を積層して合体する。以下同様な操作を繰り返して、コネクタハウジング１２を、例えば、上下１０段に順次積層して合体し、最上段のコネクタハウジング１２の上に、コネクタハウジング１２の大きさに合せた矩形板状のカバー４０を装着することにより組み立て、コネクタ１１を形成する（図１（Ａ），（Ｂ）及び図２参照）。
【００５５】
なお、コネクタ１１を組み立てる場合に、上記したような接続用端子１８が収容されたコネクタハウジング１２を重ね合わせて順次積層するのではなく、コネクタハウジング１２を１層積層する毎に、上段に積層されたコネクタハウジング１２の端子収容室１６に接続用端子１８を挿入して収容し、このような操作を繰り返して、コネクタハウジング１２を順次積層して合体することにより行うようにしても良い。
【００５６】
コネクタ１１を組み立てる過程において、コネクタハウジング１２同士を重ね合わせて積層する際、コネクタハウジング１２に接続用端子１８が奥まで正しく挿入されて正常に収容されている場合には、図１０（Ａ）に示すように、コネクタハウジングロック手段１５，１７の係合凹部と係合凸部が係合する。これに対して、あるコネクタハウジング１２の端子収容室１６に、接続用端子１８が奥まで正しく挿入されず、半挿入状態で収容されたような場合、そのコネクタハウジング１２に隣接する他方のコネクタハウジング１２を重ね合わせ、コネクタハウジングロック手段１５，１７で積層して合体しようとすると、図１０（Ｂ）に示すように、前方側に設けられた両コネクタハウジングロック手段１５の係合凹部３２と係合凸部３３との係合が外れる。これにより、接続用端子１８の半挿入状態が検知される。この場合には、接続用端子１８が半挿入状態のコネクタハウジング１２を修理するか、或いは、正常なコネクタハウジング１２と交換する等して、組み立て作業を行う。
【００５７】
本発明のコネクタ１１によると、前記コネクタハウジング１２の前方側に設けられた両コネクタハウジングロック手段１５の係合力が、後方側に設けられた両コネクタハウジングロック手段１７の係合力よりも小さくなるように設定されている。
【００５８】
そこで、一方のコネクタハウジング１２に接続用端子１８が半挿入状態で収容されている場合、そのコネクタハウジング１２に積層される他方のコネクタハウジング１２の係止突起３０が、一方のコネクタハウジング１２に半挿入状態で収容された接続用端子１８に係合せず、半挿入状態で収容された接続用端子１８近傍の両コネクタハウジング１２間に隙間が生じる反面、他方のコネクタハウジング１２が押し付け力で撓み、両コネクタハウジング１２の両側部１２ａが接近又は接触することにより、コネクタハウジング１２の両側部１２ａの前後方側に設けられたコネクタハウジングロック手段１５，１７の係合凹部３２と係合凸部３３，３４とを係合させることが可能になる。
【００５９】
ところが、これらコネクタハウジングロック手段１５，１７の係合凹部３２と係合凸部３３，３４には、他方のコネクタハウジング１２を撓ませる押し付け力に相当する反力が作用するので、後方側の両コネクタハウジングロック手段１７における係合凹部３２と係合凸部３４の係合力はコネクタハウジング１２を積層して合体するために必要な大きさを有し、後方側の両コネクタハウジングロック手段１７における係合凹部３２と係合凸部３４の係合状態が維持されるのに対し、後方側の両コネクタハウジングロック手段１７よりも係合力が小さく設定されている前方側の両コネクタハウジングロック手段１５における係合凹部３２と係合凸部３３の係合が前記押し付け力の反力作用で外れ、コネクタハウジング１２を積層して合体することができなくなる。
【００６０】
これにより、コネクタハウジング１２に接続用端子１８が半挿入状態で収容されている場合、前方側の両コネクタハウジングロック手段１５が接続用端子１８の半挿入状態を検知する役割をする。コネクタハウジング１２に接続用端子１８が奥まで正しく挿入されて正常に収容されている場合には、コネクタハウジング１２の押し付け力による反力が小さいので、前方側の両コネクタハウジングロック手段１５における係合凹部３２と係合凸部３３の係合が外れず、コネクタハウジング１２を積層して合体することができる。
【００６１】
よって、コネクタハウジング１２に接続用端子１８が半挿入状態で収容されている場合、それを確実に検知し、接続用端子１８が半挿入状態で収容されたコネクタハウジング１２を積層して合体するのを防止し、形成されたコネクタ１１が電気的接続不良を引き起こすことがなく、その品質及び信頼性を向上させることができる。
【００６２】
また、仮に後方側の両コネクタハウジングロック手段１７の係合力が前方側の両コネクタハウジングロック手段１５の係合力よりも小さく設定されていても、接続用端子の半挿入検知はできるが、電線Ｗが接続用端子１８の近傍でコネクタハウジング同士の積層状態を解除する引き裂き方向に引っ張られた場合、後方側の両コネクタハウジングロック手段１７における係合が容易に外れてしまい、コネクタハウジング１２同士の積層状態を保持できなくなる懸念がある。これに対し、本実施形態では、後方側の両コネクタハウジングロック手段１７の係合力が前方側の両コネクタハウジングロック手段１５の係合力よりも大きく設定されているため、図６に示すように、後方側の両コネクタハウジングロック手段１７における係合が容易に外れないので、コネクタハウジング１２同士の積層状態を保持することができる。
【００６３】
また、前方側の両コネクタハウジングロック手段１５の係合凸部３３における鉤部３５の係合面が凸弧面状の係合面３５ａ又は係合凸部３３の長手方向軸線Ｐに対して鈍角度θの傾斜面状の係合面３５ｂ，３５ｃに形成され、後方側に設けられた両コネクタハウジングロック手段１７の係合凸部３４における鉤部３７の係合面が係合凸部３４の長手方向軸線Ｐに対してほぼ垂直な面状の係合面３７ａに形成されていると、後方側の両コネクタハウジングロック手段１７は、これまで使用されているものと構成が同じで新たに設計する手間が省ける他、前方側の両コネクタハウジングロック手段１５における係合凸部３３の形状が簡単になる。従って、コネクタハウジングロック手段１５，１７の形成が容易になり、コネクタ１１のコストを低減させることができるので好ましい。
【００６４】
更に、前方側の両コネクタハウジングロック手段１５の係合凸部３３における鉤部３５の係合高さＨが、後方側の両コネクタハウジングロック手段１７の係合凸部３４における鉤部３７の係合高さｈよりも低くなるように構成されていると、前方側の両コネクタハウジングロック手段１５の係合力を後方側の両コネクタハウジングロック手段１７の係合力よりも小さく設定することが容易になるので好ましい。
【００６５】
続いて、本発明にかかるコネクタの別の実施形態について説明する。この実施形態は、低嵌合のためにレバーが備わったＬＩＦ（Low Insertion Force）コネクタに関する。かかるＬＩＦコネクタには、上述の実施形態と同等の構成の積層型コネクタがホルダに嵌合され、このホルダがオスコネクタに嵌められてレバーを介して低嵌合可能となっている。
【００６６】
以下、いくつか種類のあるＬＩＦコネクタのコネクタについてそれぞれ説明する。なお、上述の実施形態と同等の構成については、対応する符号を付して詳細な説明を省略する。まず、このコネクタの一つとして、図１１乃至図１７に示す２．３端子６極コネクタ１０１（図１４参照）の構造について説明する。
【００６７】
図１４に示す２．３端子６極コネクタ１０１（以下、「コネクタ１０１」とする）とは、一辺が２．３ｍｍの端子を６極並列に受け入れることができるコネクタハウジングを積層させたコネクタを指している。このコネクタ１０１は、全て例えばＰＢＴなどの成型性と強度に優れた材質でできており、図１１に示すハウジングカバー１４０と、図１２に示すハウジング本体１１０と、図１３に示す下端ハウジング１５０とから構成されている。
【００６８】
ハウジングカバー１４０は、図１１（Ａ）に示すように、その上面の一定領域に補強用リブ１４１が格子状に形成されている。これによって、端子半挿入状態でハウジングカバー１４０が反ったままハウジング本体１１０に被せられることなく、上述の実施形態と同様に前側の係合部が外れるようになっている。
【００６９】
また、ハウジングカバー１４０は、左右非対称に形成され、このハウジングカバー１４０がハウジング本体１１０に逆向きで被せられるのを防止している。また、ハウジングカバー１４０の裏面には、図１１（Ｂ）に示すように、その幅方向両側にそれぞれ２つずつ係合凸部１４３，１４４が形成されている。そして、前側（コネクタ１０１をホルダに挿入する側）の係合凸部１４３は、図３３に示すように、その先端の鉤部１４５が断面半円状に形成され、このハウジングカバー１４０が被せられるハウジング本体１１０の係合凹部１３１にこの鉤部１４５が嵌り易く、かつ端子半挿入状態で外れ易くなっている。一方、後側の係合凸部１４４は、上述の実施形態と同様に段付き鉤状の鉤部１４７として形成され（図８参照）、鉤部１４７が一旦相手側の係合凹部１３２と係合すると簡単に外れないようになっている。また、ハウジングカバー１４０の中央部分には接続用端子抜け防止用の係止突起部１４８がカバー幅方向に所定間隔をなして形成されている（図１１（Ｂ）参照）。
【００７０】
ハウジング本体１１０は、図１２（Ａ）に示すように、内部に端子収容室１１６が６ヶ所並列に形成され、ハウジング本体上面にこの端子収容室１１６にそれぞれ対応する端子抜け防止用の窓部１１７が６ヶ所形成されている。また、ハウジング本体１１０の両側部には積層される上側のハウジング本体１１０又はハウジングカバー１４０に係合する係合凹部１３１，１３２がそれぞれ前後方向に形成されている。
【００７１】
また、ハウジング本体下面には、図１２（Ｂ）に示すように、端子抜け防止用の係止突起部１３０がハウジング幅方向所定間隔を隔てて形成されている。また、ハウジング本体下面の両側部の前側には最初の実施形態及び本実施形態のハウジングカバー１４０に形成された係合凸部と同様の係合力の小さい係合凸部１３３（図３３参照）が形成されているとともに、後側にも最初の実施形態及び本実施形態のハウジングカバー１４０に形成された係合凸部と同様の係合力の大きい係合凸部１３４が形成されている。
【００７２】
なお、ハウジング本体前側の係合凹部１３１の断面は、最初の実施形態と異なり、断面半円状の係合凹部１３１に形成されるとともに（図３３参照）、ハウジング本体後側の係合凹部１３２の断面は、積層されるハウジング本体１１０又はハウジングカバー１４０の鉤状の係合凸部１３４，１４４にしっかりと係合する図８に示すような段部が形成されている。これによって、ハウジング本体１１０に接続用端子１９（図１７参照）が半挿入されたままこの上面に他のハウジング本体１１０を積層したり、ハウジングカバー１４０を被せようとしたりすると、接続用端子１９の係止受部１９ａにハウジング本体１１０の係止突起部１３０やハウジングカバー１４０の係止突起部１４８が侵入せず、その結果、ハウジング本体前側の係合部が外れて、端子半挿入状態を容易に確認できるようになっている。
【００７３】
また、各端子収容室１１６には、各接続用端子１９と係合するランス１２２が形成されている（図１２（Ｂ）参照）。また、ハウジング本体１１０の両側部には左右非対称に形成され、ハウジング本体１１０をホルダへ逆挿入するのを防止している。
【００７４】
続いて、２．３端子６極下端ハウジング１５０の構成について説明する。この下端ハウジング１５０の構成は、上述したハウジング本体１１０の構成と基本的に同じであるが、コネクタ組み付け状態においてこれが最も下側に位置することから明らかな通り、図１３（Ｂ）に示すように、下端ハウジング１５０の下面両側部前後に係合凸部が形成されていない点と、各端子収容室１５６に対応する位置に端子抜け防止用突起部が形成されていない点が上述したハウジング本体１１０と構成上異なっている。
【００７５】
すなわち、それ以外の構成、具体的にはハウジング内の端子収容室１５６、接続用端子１９を保持するランス１６２、ハウジング上面の窓部１５７、ハウジング両側部の前後方向に突出した係合凹部１７１，１７２はハウジング本体１１０と同様の構成として形成されている。
【００７６】
以上のような構成を有する下端ハウジング１５０、ハウジング本体１１０、及びハウジングカバー１４０をこの順番に積層させていく。この際、上述した実施形態と同様に、ハウジング本体１１０及びハウジングカバー１４０の前側の係合凸部１３３，１４３とこれが積層されるハウジング本体１１０及び下端ハウジング１５０の前側の係合凹部１３１，１７１との係合力が、ハウジング本体１１０及びハウジングカバー１４０の後側の係合凸部１３４，１４４とこれが積層されるハウジング本体１１０及び下端ハウジング１５０の後側の係合凹部１３２，１７２との係合力より小さくなっている。そのため、仮に接続用端子１９が端子半挿入状態のままコネクタ１０１を組付けようとすると、接続用端子が半挿入された下端ハウジング１５０やハウジング本体１１０とその上側のハウジング本体１１０やハウジングカバー１４０との間の前側の係合凸部１３３，１４３と係合凹部１３１，１７１との係合が外れて、端子半挿入状態であることが検知できる。その結果、端子半挿入状態のまま、コネクタ１０１を組付けるのを防止できる。
【００７７】
図１４は、このようにして組付けたコネクタ１０１の斜視図で、図１５は端子嵌合面側から見た正面図、図１６はコネクタ１０１の側面図、図１７はコネクタ１０１の接続用端子挿入方向に沿った断面図である。
【００７８】
続いて、０．６４端子３極コネクタ２０１（図２１参照）について説明する。この０．６４端子３極コネクタ２０１（以下、「コネクタ２０１」とする）は、０．６４端子を３極並列に収容する下端ハウジング２５０（図２０参照）に同じく０．６４端子を３極並列に収容するハウジング本体２１０（図１９参照）を所定数積層させて、上部にハウジングカバー２４０（図１８参照）を被せた構成を有している。なお、この場合の０．６４端子とは端子幅が０．６４ｍｍである小型の接続用端子１８（図３０参照）を指している。なお、上述のコネクタ１０１の構成と同等の構成に関しては対応する符号を図面に付して詳細な説明を省略する。
【００７９】
ハウジングカバー上面にはコネクタ２０１のホルダへの挿入方向を示す矢印２４１が形成されている（図１８（Ａ）参照）。また、ハウジングカバー２４０の下面両側部中央には、案内リブ２４９が突出形成されている（図１８（Ｂ）参照）。同様に、ハウジング本体２１０の下面両側部中央には、案内リブ２３９が突出形成されている（図１９（Ｂ）参照）。一方、ハウジング本体２１０上面両側部中央には、案内リブ２４９，２３９を受け入れる案内溝部２１８が形成されるとともに（図１９（Ａ）参照）、下端ハウジング２５０上面両側部中央にも、案内リブ２４９を受け入れる案内溝部２５８が形成されている（図２０参照）。
【００８０】
そして、このコネクタ２０１についてもコネクタハウジングの各ハウジングの係合力を前側が後側よりも小さくすることで、組付けられたコネクタ２０１が上述したような効果と同様の効果、すなわち、接続用端子１８が半挿入状態において、ハウジングカバー２４０、ハウジング本体２１０、下端ハウジング２５０の前側の係合部が外れることで、この端子挿入状態を容易に確認できる効果を奏するようになっている。
【００８１】
続いて、０．６４端子６極コネクタ３０１，３０２（図２７及び図３１参照）について説明する。なお、上述のコネクタ１０１，２０１の構成と同等の構成に関しては対応する符号を図面に付して詳細な説明を省略する。
【００８２】
この０．６４端子６極コネクタ３０１，３０２（以下、「コネクタ３０１，３０２」とする）は、０．６４端子を６極並列に収容する下端ハウジング３５０に同じく０．６４端子を６極並列に収容するハウジング本体３１０を所定数積層させて、上部に２種類のハウジングカバー３８０，３９０のいずれかを被せた構成を有している。この場合、ハウジングカバーは、図２３に示すＡタイプのハウジングカバー３８０と図２４に示すＢタイプのハウジングカバー３９０と２種類用意されている。これは、このコネクタ３０１，３０２が挿入されるホルダの種類に応じて設けられたものであり、Ａタイプのハウジングカバー３８０を被せたコネクタ３０１（図２７参照）は、これに対応するＡタイプのホルダにのみ挿入されてＢタイプのホルダには挿入不能となっている。一方、Ｂタイプのハウジングカバー３９０を被せたコネクタ３０２（図３１参照）はこれが対応するＢタイプのホルダにのみ挿入されてＡタイプのホルダには挿入不能となっている。
【００８３】
そして、このコネクタ３０１，３０２についても各コネクタハウジングの係合力を前側が後側よりも小さくすることで、組付けられたコネクタ３０１，３０２が上述した効果と同様の効果、すなわち、接続用端子１８が半挿入状態において、ハウジングカバー３４０、ハウジング本体３１０、下端ハウジング３５０の前側の係合部が外れることで、この端子挿入状態を容易に確認できる効果を奏するようになっている。
【００８４】
また、これらのコネクタ１０１，２０１，３０１，３０２において、下端コネクタハウジング１５０，２５０，３５０、コネクタハウジング本体１１０，２１０，３１０、及びハウジングカバー１４０，２４０，３８０，３９０の前側係合部の係合力を後側係合部の係合力よりも小さくすることで、上述した端子半嵌合検知の効果に加えて図３４（Ｂ）に示すような効果を生じさせている。以下、この効果について具体的に説明する。
【００８５】
図３４（Ａ）はコネクタ１０１，２０１，３０１，３０２の各コネクタハウジングやハウジングカバー同士の係合力を上述の実施形態と異なり前側が後側よりも大きくすることで、接続用端子半挿入状態を検知する変形例を示している。このような変形例の構造によっても接続用端子半挿入状態を検知できるが、コネクタを組付けた後に隣接した電線Ｗを互いに引き離すように引っ張ると（図３４（Ａ）の矢印参照）、コネクタハウジングの後側の係合力が弱いが故に、一旦積層されたコネクタハウジングが図３４（Ａ）に示すように容易に外れてしまうおそれがある。しかしながら、本実施形態のようにコネクタ１０１，２０１，３０１，３０２の下端ハウジングやハウジング本体間の前側係合部の係合力を後側係合部の係合力よりも弱くすることで、図３４（Ｂ）に示すように、隣接した電線Ｗを互いに引き離すように引っ張っても、下端ハウジングやハウジング本体間の後側の十分な係合力によって、一旦積層された下端ハウジングやハウジング本体、及びハウジングカバーが外れにくいというメリットを有している。
【００８６】
続いて、このように組付けられたコネクタ１０１，２０１，３０１，３０２を挿入収容するホルダ５００について説明する。このホルダ５００は、上述のように組付けたコネクタ１０１，２０１，３０１，３０２を挿入収容し、レバーによるテコの原理によってこれらのコネクタ１０１，２０１，３０１，３０２に挿入されたメス端子をオスコネクタ（図４１参照）のオス端子（図４１では図示せず）に嵌合させる役目を果たしている。ホルダ５００は、強度と成型性に優れた例えばＰＢＴなどの樹脂でできており、図３５の斜視図に示すような２４極Ａタイプホルダ５１０や、図３６の斜視図に示す２４極Ｂタイプホルダ５２０、図３７の斜視図に示す６６極ホルダ５３０等幾つかのタイプのホルダから構成されている。
【００８７】
より詳細には、図３５に示す２４極Ａタイプホルダ５１０（以下、「ホルダ５１０」とする）は、Ａタイプの０．６４端子３極の４段積層コネクタ２０１（図２１参照）を挿入収容する０．６４端子収容部５１１と、これと隣接してレバー係合爪保護用壁部５１７を隔てて両側に形成された２．３端子６極の単層コネクタを挿入収容する２．３端子収容部５１２，５１３を備えている。なお、ホルダ５１０の下側には、２．３端子６極の単層コネクタと係合して、これをホルダ内に保持するランス５１４が並列に形成されている。これによって、１つの０．６４端子３極の４段積層コネクタ２０１と、２つの２．３端子６極の単層コネクタ、すなわち合計２４極の接続用端子をこのホルダ５１０に収容可能となっている。
【００８８】
また、テコの原理を利用してこれらのコネクタ２０１や単層のコネクタの接続用端子をオスコネクタのオス端子に低嵌合させる側面視略Ｔ字状をなしたレバー５１５がホルダ５１０に取り付けられている。なお、レバー５１５の一部はホルダ５１０のレバー係合爪保護用壁部５１７に収容され、レバー５１５の操作部５１６のみがホルダ５１０から突出している。
【００８９】
図３６に示す２４極Ｂタイプホルダ５２０は、基本的構成が図３５に示した２４極Ａタイプホルダ５１０と共通している。なお、このホルダ５２０にもコネクタ低嵌合用のレバー５２５が備わっている。
【００９０】
図３７に示す６６極ホルダ５３０は、Ｂタイプの０．６４端子６極の４段積層コネクタ３０２（図３１参照）を挿入収容する０．６４端子収容部５３１と、Ａタイプの０．６４端子６極４段積層コネクタ３０１（図２７参照）を挿入収容する０．６４端子収容部５３２と、２．３端子６極の３段積層コネクタ１０１（図１４参照）を挿入収容する１つの２．３端子収容部５３３が備わっている。また、これらのコネクタ３０２，３０１，１０１の接続用端子をテコの原理によってオスコネクタのオス端子に収容するレバー５３５が、上述の実施形態と異なり、上面視で角型Ｕ字状に形成されてホルダ５３０の両側部を跨ぐようにホルダ５３０に取り付けられている。
【００９１】
図３８は、１つのＡタイプの０．６４端子３極４段積層コネクタ２０１と、２つの２．３端子６極単層コネクタ１１０’を挿入収容した状態の２４極Ａタイプホルダ５１０を示した斜視図である。
【００９２】
また、図３９は、１つのＢタイプの０．６４端子３極４段積層コネクタハウジング２０１と、２つの２．３端子６極単層コネクタ１１０’を挿入収容した状態の２４極Ｂタイプホルダ５２０を示した斜視図である。
【００９３】
また、図４０は、Ａタイプの０．６４端子６極の４段積層コネクタ３０２と、Ｂタイプの０．６４端子６極の４段積層コネクタ３０１と、２．３端子６極の３段積層コネクタ１０１を挿入収容した状態の６６極ホルダ５３０を示した斜視図である。
【００９４】
そして、ホルダ５１０をオスコネクタ６００のホルダ収容部６１０に挿入するとともに、ホルダ５２０をオスコネクタ６００のホルダ収容部６２０に挿入する。なお、ホルダ５３０についてはここでは図示しないオスコネクタのコネクタ収容部に挿入する。その後、各ホルダ５１０，５２０，５３０に備わったレバーを起こして各ホルダ５１０，５２０，５３０を図４１に示す例えばＰＢＴ等の強度と成型性に優れたオスコネクタ６００の所定のホルダ収容部６１０，６２０に挿入する。オスコネクタ６００には、ここでは図示しない底部にホルダの極数に対応したオス端子が突出形成されている。また、これらのオス端子はここでは図示しない基板や電線に接続されている。オスコネクタ６００の各ホルダ収容部６１０，６２０にレバーを立てたままホルダを挿入した後、ホルダ側の接続用端子をオスコネクタ側のオス端子に半嵌合させた状態でレバーを倒すことで、ここでは詳細には図示しないが、レバーに備わった係合爪とオスコネクタ６００の係合凹部とが係合しながらテコの原理によってホルダ５１０，５２０，５３０がオスコネクタ６００の各ホルダ収容部に低嵌合力で引き込まれる。これによって、ホルダ側に備わったメス端子をオスコネクタ側に備わったオス端子に完全嵌合させるように導く。
【００９５】
以上のようにして、本発明の後者の実施形態であるＬＩＦコネクタにおいても、本発明を適用して前者の実施形態である積層コネクタにおいて生じる効果、すなわち接続用端子が半挿入状態の場合を両コネクタハウジングロック手段が外れることで外部から確認できるとともに、接続用端子の半挿入状態となったコネクタをホルダ内に収容するのを防止する効果を十分発揮することができるようになる。
【図面の簡単な説明】
【００９６】
【図１】本発明の好ましい形態のコネクタを示すもので、図１（Ａ）は正面図、図１（Ｂ）は右側面図である。
【図２】図１（Ａ）のＸ−Ｘ線矢視断面図である。
【図３】図１のコネクタを構成するコネクタハウジングを示すもので、図３（Ａ）は表側から見た斜視図、図３（Ｂ）は裏側から見た斜視図である。
【図４】図１のコネクタにおいて、積層されたコネクタハウジングに接続用端子が収容され、ランス及び係止突起で抜け止めされた状態を示す拡大断面図である。
【図５】図３のコネクタハウジングの前方側に設けられたコネクタハウジングロック手段の係合凹部と係合凸部の係合状態を示す拡大断面図である。
【図６】図３のコネクタハウジングの後方側に設けられたコネクタハウジングロック手段の係合凹部と係合凸部の係合状態を示す拡大断面図である。
【図７】図５の係合凸部を示す拡大断面図である。
【図８】図６の係合凸部を示す拡大断面図である。
【図９】図７の係合凸部の変形例を示すもので、図９（Ａ）は鉤部の係合面が略Ｖ状突起の傾斜面状に、図９（Ｂ）は鉤部の係合面が滑り台型の傾斜面状に形成されている状態の拡大断面図である。
【図１０】図３のコネクタハウジングを積層する際、コネクタハウジングロック手段の係合状態を示すもので、図１０（Ａ）は接続用端子が正常に収容されている場合の側面図、図１０（Ｂ）は接続用端子が半挿入状態で収容されている場合の側面図である。
【図１１】本発明の２．３端子ハウジングカバーを斜め上方から見た斜視図（図１１（Ａ））及びこの２．３端子ハウジングカバーを斜め下方から見た斜視図（図１１（Ｂ））である。
【図１２】本発明の２．３端子ハウジング本体を斜め上方から見た斜視図（図１２（Ａ））及びこの２．３端子ハウジング本体を斜め下方から見た斜視図（図１２（Ｂ））である。
【図１３】本発明の２．３端子下端ハウジングを斜め上方から見た斜視図（図１３（Ａ））及びこの２．３端子下端ハウジングを斜め下方から見た斜視図（図１３（Ｂ））である。
【図１４】図１３に示した２．３端子下端ハウジングに図１２に示した２．３端子ハウジング本体を積層させて、この最上部に図１１に示す２．３端子ハウジングカバーをかぶせた状態の２．３端子６極３段積層コネクタを斜め上方から示す斜視図である。
【図１５】図１４に示した２．３端子６極３段積層コネクタを端子嵌合面側から見た正面図である。
【図１６】図１４に示した２．３端子６極３段積層コネクタを側方から見た側面図である。
【図１７】図１４に示した２．３端子６極３段積層コネクタを接続用端子の長手方向に沿って切断した状態を側方から見た断面図である。
【図１８】本発明の０．６４端子３極ハウジングカバーを斜め上方から見た斜視図（図１８（Ａ））及びこの０．６４端子３極ハウジングカバーを斜め下方から見た斜視図（図１８（Ｂ））である。
【図１９】本発明の０．６４端子３極ハウジング本体を斜め上方から見た斜視図（図１９（Ａ））及びこの０．６４端子３極ハウジング本体を斜め下方から見た斜視図（図１９（Ｂ））である。
【図２０】本発明の０．６４端子３極下端ハウジングを斜め上方から見た斜視図（図２０（Ａ））及びこの０．６４端子３極ハウジング下端ハウジングを斜め下方から見た斜視図（図２０（Ｂ））である。
【図２１】図２０に示した０．６４端子３極下端ハウジングに図１９に示した０．６４端子３極ハウジング本体を積層させて、この最上部に図１８に示す０．６４端子３極ハウジングカバーをかぶせた状態の０．６４端子３極４段積層コネクタを斜め上方から示す斜視図である。
【図２２】図２１に示した０．６４端子３極４段積層コネクタを端子嵌合面側から見た正面図である。
【図２３】本発明の０．６４端子６極ハウジングカバーのＡタイプを斜め上方から見た斜視図（図２３（Ａ））及びこの０．６４端子６極ハウジングカバーを斜め下方から見た斜視図（図２３（Ｂ））である。
【図２４】本発明の０．６４端子６極ハウジングカバーのＢタイプを斜め上方から見た斜視図（図２４（Ａ））及びこの０．６４端子６極ハウジングカバーを斜め下方から見た斜視図（図２４（Ｂ））である。
【図２５】本発明の０．６４端子６極ハウジング本体を斜め上方から見た斜視図（図２５（Ａ））及びこの０．６４端子６極ハウジング本体を斜め下方から見た斜視図（図２５（Ｂ））である。
【図２６】本発明の０．６４端子６極下端ハウジングを斜め上方から見た斜視図（図２６（Ａ））及びこの０．６４端子６極下端ハウジングを斜め下方から見た斜視図（図２６（Ｂ））である。
【図２７】図２６に示した０．６４端子６極下端ハウジングに図２５に示した０．６４端子６極ハウジング本体を積層させて、この最上部に図２３に示す０．６４端子６極ハウジングカバーのＡタイプを被せた状態の０．６４端子６極４段積層コネクタを斜め上方から示す斜視図である。
【図２８】図２７に示した０．６４端子６極４段積層コネクタを端子嵌合面側から見た正面図である。
【図２９】図２７に示した０．６４端子６極４段積層コネクタを側方から見た側面図である。
【図３０】図２７に示した０．６４端子６極４段積層コネクタを端子の長手方向に沿って切断した状態を側方から見た断面図である。
【図３１】図２６に示した０．６４端子６極下端ハウジングに図２５に示した０．６４端子６極ハウジング本体を積層させて、この最上部に図２４に示す０．６４端子６極ハウジングカバーのＢタイプを被せた状態の０．６４端子４段積層コネクタを斜め上方から示す斜視図である。
【図３２】図３１に示した０．６４端子６極４段積層コネクタを端子嵌合面側から見た正面図である。
【図３３】下端ハウジング、ハウジング本体、及びハウジングカバーの前側の係合凸部と係合凹部を拡大して示した断面図である。
【図３４】下端ハウジング同士や下端ハウジングとハウジング本体との前側の係合部の係合力を後側の係合部の係合力よりも大きくした場合の隣接したハウジング本体同士又は隣接したハウジング本体と下端ハウジングの電線を引っ張った状態を示す側面図（図３４（Ａ））、及び下端ハウジング同士や下端ハウジングとハウジング本体との前側の係合部の係合力を後側の係合部の係合力よりも小さくした場合の隣接したハウジング本体同士又は隣接したハウジング本体と下端ハウジングの電線を引っ張った状態を示す側面図（図３４（Ｂ））である。
【図３５】２４極Ａタイプホルダを示す斜視図である。
【図３６】２４極Ｂタイプホルダを示す斜視図である。
【図３７】６６極ホルダを示す斜視図である。
【図３８】２４極Ａタイプホルダに０．６４端子６極４段Ａタイプ積層コネクタ及び単層の２．３端子コネクタを挿入した状態を示す斜視図である。
【図３９】２４極Ｂタイプホルダに０．６４端子６極３段Ｂタイプ積層コネクタ及び単層の２．３端子コネクタを挿入した状態を示す斜視図である。
【図４０】６６極ホルダに０．６４端子６極４段積層コネクタ及び２．３端子６極３段積層コネクタを挿入した状態を示す斜視図である。
【図４１】２４極Ａタイプホルダや２４極Ｂタイプホルダを挿入してコネクタ低嵌合を実現させるオスコネクタを示す斜視図である。
【図４２】従来のコネクタを構成するコネクタハウジングを示すもので、図４２（Ａ）は表側から見た斜視図、図４２（Ｂ）は裏側から見た斜視図である。
【図４３】図４２のコネクタハウジングが積層され、下段のコネクタハウジングに収容された接続用端子がランス及び係止突起で二重に抜け防止された状態を示す拡大断面図である。
【図４４】図４２のコネクタハウジングを積層して合体するコネクタハウジングロック手段の係合凹部と係合凸部の係合状態を示す拡大断面図である。
【図４５】図４２のコネクタハウジングを上下１０段に積層して合体することにより形成された従来のコネクタを示すもので、図４５（Ａ）は正面図、図４５（Ｂ）は右側面図である。
【符号の説明】
【００９７】
１０    コネクタ
１１    コネクタ
１２    コネクタハウジング
１２ａ  側部
１３，１４，１５    コネクタハウジングロック手段
１６    端子収容室
１６ａ  上壁
１６ｂ  下壁
１６ｃ  前壁
１７    コネクタハウジングロック手段
１８    接続用端子
１８ａ  係止受部
１８ｂ  係合凹部
１９    接続用端子
２０    スリット
２２    ランス
２４    肉盛り部
２６    係止爪
２８    ランス受入部
３０    係止突起
３１    接続バー挿入穴
３２    係合凹部
３３，３４    係合凸部
３５    鉤部
３５ａ  係合面
３５ｂ  係合面
３５ｃ  係合面
３６    案内凹溝
３７    鉤部
３７ａ  係合面
３８    案内リブ
４０    カバー
１０１    ２．３端子６極コネクタ
１１０    ハウジング本体
１１０’    ２．３端子６極単層コネクタ
１１６    端子収容室
１１７    窓部
１２２    ランス
１３０    係止突起部
１３１    係合凹部
１３２    係合凹部
１３３    係合凸部
１３４    係合凸部
１４０    ハウジングカバー
１４１    補強用リブ
１４３，１４４    係合凸部
１４５    鉤部
１４７    鉤部
１４８    係止突起部
１５０    下端ハウジング
１５０    ２．３端子６極下端ハウジング
１５６    端子収容室
１５７    窓部
１６２    ランス
１７１，１７２    係合凹部
２０１    ０．６４端子３極コネクタ
２１０    ハウジング本体
２１６    端子収容室
２１８    案内溝部
２３９    案内リブ
２４０    ハウジングカバー
２４１    矢印
２４９    案内リブ
２５８    案内溝部
２５０    下端ハウジング
３０１，３０２    ０．６４端子６極コネクタ
３１０    ハウジング本体
３４０    ハウジングカバー
３５０    下端ハウジング
３８０，３９０    ハウジングカバー
５００    ホルダ
５１０    （２４極Ａタイプ）ホルダ
５１１    ０．６４端子収容部
５１２，５１３    ２．３端子収容部
５１４    ランス
５１５    レバー
５１６    操作部
５１７    レバー係合爪保護用壁部
５２０    （２４極Ｂタイプ）ホルダ
５２１    ０．６４端子収容部
５２５    コネクタ低嵌合用レバー
５３０    （６６極）ホルダ
５３１，５３２    ０．６４端子収容部
５３３    ２．３端子収容部
５３５    レバー
６００    オスコネクタ
６１０，６２０    ホルダ収容部
Ｈ      係合高さ
ｈ      係合高さ
Ｐ      長手方向軸線
Ｗ      電線
θ      鈍角度
【図１】
2006294580.tif 000003
【図２】
2006294580.tif 000004
【図３】
2006294580.tif 000005
【図４】
2006294580.tif 000006
【図５】
2006294580.tif 000007
【図６】
2006294580.tif 000008
【図７】
2006294580.tif 000009
【図８】
2006294580.tif 000010
【図９】
2006294580.tif 000011
【図１０】
2006294580.tif 000012
【図１１】
2006294580.tif 000013
【図１２】
2006294580.tif 000014
【図１３】
2006294580.tif 000015
【図１４】
2006294580.tif 000016
【図１５】
2006294580.tif 000017
【図１６】
2006294580.tif 000018
【図１７】
2006294580.tif 000019
【図１８】
2006294580.tif 000020
【図１９】
2006294580.tif 000021
【図２０】
2006294580.tif 000022
【図２１】
2006294580.tif 000023
【図２２】
2006294580.tif 000024
【図２３】
2006294580.tif 000025
【図２４】
2006294580.tif 000026
【図２５】
2006294580.tif 000027
【図２６】
2006294580.tif 000028
【図２７】
2006294580.tif 000029
【図２８】
2006294580.tif 000030
【図２９】
2006294580.tif 000031
【図３０】
2006294580.tif 000032
【図３１】
2006294580.tif 000033
【図３２】
2006294580.tif 000034
【図３３】
2006294580.tif 000035
【図３４】
2006294580.tif 000036
【図３５】
2006294580.tif 000037
【図３６】
2006294580.tif 000038
【図３７】
2006294580.tif 000039
【図３８】
2006294580.tif 000040
【図３９】
2006294580.tif 000041
【図４０】
2006294580.tif 000042
【図４１】
2006294580.tif 000043
【図４２】
2006294580.tif 000044
【図４３】
2006294580.tif 000045
【図４４】
2006294580.tif 000046
【図４５】
2006294580.tif 000047